(57)【要約】      （修正有）【課題】義歯を歯茎に確りと持続力を持って固定する事が出来る水溶性高分子を主基剤とするクリーム状粘着タイプ義歯安定剤の使用方法を提供する。【解決手段】クリーム状粘着タイプ義歯安定剤５をチューブ１１、又は袋状のパッケージ２等に小分けにして入れ密封したもの、又は使用する分量をシート状のもので包み密封したものなどを熱湯内、又はレンジ内で熱して、クリーム状粘着タイプ義歯安定剤５を、半液体状固定タイプ義歯安定剤５ａにして義歯１又は１Ａの歯茎Ｇに密着する要所の部分１ａ、１ｂ、１ｃ、１ｄ又は２ａ、２ｂ、２ｃへ流し置き、義歯１又は１Ａを歯茎Ｇに取り付けてから一旦義歯１又は１Ａを取り外し歯茎Ｇ等に取り付いた半液体状５ａの表面に唾液等を含ませて再度、義歯１又は１Ａを歯茎Ｇに取り付け固定するものでクリーム状の安定剤５を熱し、半液体状安定剤５ａにして使用する事を特徴とする。【選択図】図４
2004321727.tif 000002
【特許請求の範囲】
【請求項１】
水溶性高分子を主基剤とする、クリーム状粘着タイプ義歯安定剤（５）を熱湯内、又はレンジ内で熱する事で半液体状にし、半液体状固定タイプ義歯安定剤（５ａ）として、上顎用義歯（１）、又は下顎用義歯（１Ａ）の歯茎（Ｇ）に密着する要所の各部分（１ａ）（１ｂ）（１ｃ）（１ｄ）又は（２ａ）（２ｂ）（２ｃ）へ置き、その義歯（１）、又は義歯（１Ａ）を歯茎（Ｇ）に取り付けてから一旦取り外し、歯茎（Ｇ）の表面、又は義歯（１）、義歯（１Ａ）の要所の各部分（１ａ）（１ｂ）（１ｃ）（１ｄ）、（２ａ）（２ｂ）（２ｃ）に取り付いた半液体状固定タイプ義歯安定剤（５ａ）の表面に、唾液又は水分を含ませて再度、義歯（１）、又は義歯（１Ａ）を歯茎（Ｇ）に取り付け固定する方法、及び半液体状固定タイプ義歯安定剤（５ａ）が取り付いた歯茎（Ｇ）の表面等に唾液、又は水分を含ませる時、同時に義歯（１）又は義歯（１Ａ）の要所の部分（１ａ）（１ｂ）、又は（２ａ）（２ｂ）等に、安定剤（５）を取り付けてから義歯（１）、又は義歯（１Ａ）を歯茎（Ｇ）に取り付け固定するクリーム状粘着タイプ義歯安定剤（５）の使用法である。
【請求項２】
請求項１．に記載の如く、クリーム状粘着タイプ義歯安定剤（５）を半液体状にし、半液体状固定タイプ義歯安定剤（５ａ）として使用するため熱湯内、又はレンジ内で熱する事が出来る様に熱と水に強く、又熱を伝え易い紙類、合成樹脂、金属の素材及びこれらの素材の組み合わせによって作られたチューブ式容器（１１）、又はミルクなどの小分け用蓋付き容器（４）、並びに袋状のパッケージ（２）それぞれの容器  の中にクリーム状粘着タイプ義歯安定剤（５）を入れ、密封したもので、携帯用としてもこれらの容器  を一つ一つの箱に納めたもの、又はシート状のもので包んだものである。
【請求項３】
水溶性高分子を主基剤とする、クリーム状粘着タイプ義歯安定剤（５）を、使用する分量だけチューブ（Ｆ）などの容器から取り出し、熱と水に強い陶器、紙類、木、合成樹脂、金属の素材によって作られた、小皿、又は箱形、円形、半円形、舟の形等の容器に移したもの、並びに紙類、合成樹脂のシート状のものでくるんだそれぞれをラップフィルムで包み密封したもの、及びラップフィルム等のシート状のものだけで包み密封したものを、熱湯内、又はレンジ内で熱する事により半液体状固定タイプ義歯安定剤（５ａ）にして、請求項１．に記載の如く同様の使用方法で上顎用義歯（１）、又は下顎用義歯（１Ａ）を歯茎（Ｇ）に固定する、クリーム状粘着タイプ義歯安定剤（５）の使用方法である。
【請求項４】
請求項２に記載の如く、クリーム状粘着タイプ義歯安定剤（５）をチューブ式容器（１１）又はミルクなどの小分け用蓋付き容器（４）並びに袋状のパッケージ（２）の中に入れ密封したものを、家庭内、又は携帯用として外出時に使用する時、そのままクリーム状粘着タイプ義歯安定剤（５）として、又はこれらの容器を熱湯内又はレンジ内で熱する事で、半液体状固定タイプ義歯安定剤（５ａ）として兼用し使用する事が出来るものである。
【発明の詳細な説明】
【０００１】
【発明に属する技術分野】
この発明は、医療用具として市販されているチューブ内に納められた水溶性高分子を主基剤とするクリーム状粘着タイプの義歯安定剤を、使用する目安の分量、又は各種の分量に小分けにし、容器内等に入れ密封したものを熱湯内等で熱し、体に対しても無害である半液体状にしたものを義歯の安定剤として義歯の床へ置き、その義歯を歯茎に取り付け使用する事で新たに生れる、義歯使用時の効果に関するものである。
【０００２】
【従来の技術】
従来義歯安定剤は、作りたての義歯を使用する人においては、義歯の安定剤は不用なものであるが、義歯を長い間使用している人は歯茎が細り、そのまま同じ義歯を使用する上で、義歯の安定剤が必要となるもので、そうした歯茎が細り義歯を取り付けた時、ガタツキが来た人のための義歯の安定剤として、パウダー状のもの、シート状のものなどがあるが、それらに比べ一般的に良く使用されているものが水溶性高分子を主基剤とするクリーム状粘着タイプの義歯安定剤と、もう一つが酢酸ビニル樹脂を主基剤とする密着タイプの義歯安定剤がある。
【０００３】
後者の酢酸ピニル樹脂を主基剤とする密着タイプは、チューブ内から弾力性のある、安定剤を押し出し義歯の床全体に均等に広げ、それを歯茎に取り付けて上、下の歯を噛み合わせる事で、義歯からはみ出した余分な安定剤を取り除き、再度その義歯を歯茎に取り付け使用するものである。
【０００４】
この様なため、取り付けに面倒な事とまだ改良の余地がある程薬品の臭いと、エタノールの成分を使用のために口の中でビリビリ感を感じるもので、この味、この臭いは少し敏感な人に対しては非常に使用しづらい安定剤で、チューインガムと類似した樹脂等を含んだ製剤が、義歯と歯茎との隙間を埋めて義歯を歯茎に取り付ける時、中の空気を追い出して吸盤の作用により義歯を歯茎に密着固定させるもので、使用中に義歯を外し水洗して続けて２、３日間使用する事が出来る反面、歯茎に対して固定する義歯の状態は不安定なものである。
【０００５】
一方、前者のクリーム状粘着タイプ安定剤はチューブ内よりクリーム状の柔らかい安定剤を押し出し義歯が歯茎と密着する義歯の要所の部分に塗布しその義歯を歯茎に押しあて嵌め込んで暫く上、下の歯を噛み締め、義歯を歯茎に固定させるものである。
【０００６】
このクリーム状粘着タイプの安定剤はメーカーによりそれぞれ使用している成分が異なり、その事により各々が安定剤としての粘着力に特徴を持つものであるが、一般的にメトキシエチレン無水マレイン酸共重合体塩、カルボキシメチルセルロースナトリウム等の複数の成分による安定剤を義歯床に取り付けその義歯を歯茎に取り付け後、唾液又は水分を含む事により膨潤させその粘着力によって義歯を歯茎に固定させる事が出来るもので食品の中でプリンやゼリーなどを固める成分等を使用し体に対して無害である反面、義歯のガタツキ具合の悪い人などには接着が弱いため満足して使用する人は少ないものである。
【０００７】
又この安定剤は、義歯が歯茎に固定するまでに時間を要する事と、義歯が歯茎に固定後に食事、又は水分を口にする事で義歯と歯茎の隙間からそれらの水分等が入る毎に今度は安定剤の成分が除々に溶け同時に粘着力が低下してゆくものである。
【０００８】
そして、それらの溶けた成分は体内に入り排出され、当然使用されている成分は体に悪影響を及ぼすものではないものの、口の中では粘着力を強くさせるための科学的成分等の使用範囲が非常に狭く、特に義歯と歯茎とのガタツキが酷い人には粘着力が弱く一日に何回か安定剤を義歯に取り付け直して使用している人が非常に多い状況なのである。
【０００９】
この様な、クリーム状粘着タイプ安定剤はメーカーにより使用成分、成分の使用分量等の相違によりそれぞれの長所と短所があるもので、例えば簡単な例として、Ｋ社のクリーム状の義歯安定剤は低い温度に弱く容器内で硬くなり、使用しにくい反面、その義歯安定剤を義歯に取り付け歯茎へ固定させる時違和感を感じるものの粘着力は比較的に強いものであるのに対し、Ｍ社のものは温度にあまり変化をする事なく軟らかいもので取り扱い易く、取り付け時の違和感がないものの粘着力が弱い欠点があり、この様に使用する人、特にガタツキの酷い人にとってこの義歯安定剤なら全てに良いと云うものがないのが現状なのである。
又、容器に関しても太いチューブを使用しているため外出時の使用には持ち運び等において大変不便なものである。
【００１０】
尚、本発明に関する水溶性高分子を主基剤とするクリーム状粘着タイプ義歯安定剤における使用方法を情報館閲覧室にて公開特許公報項目Ａ６１Ｃ１３／２３等で検索の結果、クリーム状粘着タイプ義歯安定剤を熱する事により半液体状にし義歯安定剤として使用する方法に関しての提案は、各製薬会社等の使用方法の説明書等を含めなされてはいなかったものである。
【００１１】
【発明により解決すべき課題】
上記に記載した如く一般的に使用されている義歯安定剤は密着タイプとクリーム状粘着タイプの２種類のタイプで、そのうちクリーム状粘着タイプ安定剤は使用時に製剤の溶け出しによる違和感と義歯を歯茎に取り付けてから唾液等により粘着力が出て義歯が歯茎に固定するもので、そうした状態になるまでに時間を要し、又使用している多くの人にとっては粘着力が弱く一日に何回も義歯に安定剤を付け直し使用している人が多いものである。
【００１２】
又、クリーム状粘着タイプ安定剤は、メーカーにより使用している成分の違いなどで、寒さに弱く、容器内で安定剤が硬くなり過ぎ、義歯を使用している特に一人暮しの老人にとっては、チューブの外に安定剤を押し出す事も老人には大変苦労する反面、粘着力が他のものに比べ強いものでそれが要因で使用しているものである。
【００１３】
又、寒さなどの温度に強く、チューブ内でクリーム状の安定剤が柔かで簡単に安定剤を義歯の床の部分に塗布し、又義歯の床の要所部分に指などで均等に延ばし使用する事が出来るため、前記に述べた安定剤と比べ義歯がピッタリ違和感なく歯茎に取り付ける事が出来るものの、粘着力が劣り、特に歯茎に対し義歯のガタツキが酷い人には全く不向きな安定剤なのである。
【００１４】
又、寒さに弱くチューブ内で硬くなる安定剤は義歯を歯茎に取り付ける時、義歯の床の要所の部分にただ乗せただけで使用するとの説明書きもあり、その通り使用すると歯茎に対し分厚いものが重なる感じを与えて固定させるため、義歯が歯茎にピッタリと収まると言う感じのないまま固定されるもので、使い慣れない人には違和感を与えるものである。
【００１５】
こうした事は義歯を新たに作る時、歯医者は上、下の歯の噛み合わせに十分気を使い、噛み合わせの悪さから肩こり、頭痛、及び首などの痛みなど毎日絶え間なく使用する上、下の歯の噛み合わせの悪さから健康に与える影響を十分考えて噛み合わせに対し細かなチェックを行い義歯を作るものである。
【００１６】
しかしながら長期間同じ義歯を使用しているうちに歯茎が細り義歯と歯茎においてガタツキが来て義歯を使用する上で安定剤を必要とする状況で上、下の歯の噛み合わせ云々、云う状態ではないものの、クリーム状粘着タイプの義歯安定剤で寒さに弱く硬くなるものでも粘着力が他のものと比べ強い事で使用し義歯が歯茎にピッタリ嵌る事なく固定される事は一層上、下の歯の噛み合わせが悪くなる事もあり、義歯及びそうした歯茎にピッタリ嵌らない安定剤を長期間使用する事は、より健康上良くないものなのである。
【００１７】
しかし実情はこの様な義歯を長期間使用している人が多く、新たに噛み合せを合せた新しい義歯を作るには費用と時間が必要で、安定剤で済まし義歯を作り直す人が少ない中で、この様な人のために義歯が歯茎にピタリと嵌り固定されしかも粘着力のより強い義歯安定剤が使用する人に対し大変必要なものとされているのである。
【００１８】
しかしながら、粘着力が強く使用し易いものを多くの人が望んでいるものの義歯安定剤に使用する成分において大きな問題点があり、その事は前記項目
【０００８】内で述べた様に口の中で使用する義歯安定剤は直接体に対しての科学的成分の使用によって悪影響を及ぼす事で使用する成分の種類などの範囲が限られたもので当然、クリーム状粘着タイプ義歯安定剤も同様で全てに満足のゆく製品の開発が進みにくいものであったが、本発明はクリーム状粘着タイプ義歯安定剤の使用成分をそのまま活かし、この様な多くの問題点の解決を目的としたものである。
【００１９】
【課題を解決するための手段】
上記の課題を解決するために本発明はクリーム状粘着タイプ義歯安定剤（５）を熱し、半液体状固定タイプ義歯安定剤（５ａ）にして使用するために１回分の使用目安分量、又は上顎用義歯（１）、又は下顎用義歯（１Ａ）が歯茎（Ｇ）に密着する部分へ安定剤（５）を塗布するその要所の各部分である前歯側（１ｃ）、又は（２ｃ）両側部分（１ａ）（１ｂ）、又は（２ａ）（２ｄ）等に使用する目安分量などに小分けにした安定剤（５）を熱と水に強く、又熱を伝え易い紙類、
合成樹脂、金属の素材、又はこれらの素材の組み合せによって作られたチューブ（１１）、又はミルクなどの小分け用蓋付き容器（４）及び同様の素材を使用した袋状のパッケージ（２）それぞれの中に入れ密封し、熱湯内、又はレンジ内で熱する事が出来る様にしたものである。
尚、家庭等で使用されているレンジは主に料理を目的として作られているために小さな物体は温める事が出来ないため、安定剤（５）入りチューブ（１１）、及び他の容器のものでレンジを使用する場合には陶器などの容器に水を入れ、その中に安定剤（５）入りチューブ（１１）等を入れて熱するなどの工夫をして使用するものである。
【００２０】
又、安定剤（５）をチューブ（Ｆ）などの容器から必要とする分量を取り出し半液体状（５ａ）にして使用するため、前記と同様の素材又は陶器による小皿又は半円形、円形、箱形、舟の形等の小さな容器に入れたもの、並びに熱と水に強く熱を伝え易い紙類、合成樹脂のシート状のものでくるんだものをそれぞれラップフイルムで包み密封して熱湯内、又はレンジ内で熱する事が出来る様にしたものである。
【００２１】
【発明の実施の形態】
以下、本発明の実施の形態について説明する。
現在数多い種類の義歯安定剤が市販されている中で水溶性高分子を主基剤とするクリーム状、所謂ネリ状の粘着タイプ義歯安定剤（５）は上顎用義歯（１）、又は下顎用義歯（１Ａ）の要所の各部分（１ａ）（１ｂ）（１ｃ）（１ｄ）、又は（２ａ）（２ｂ）（２ｃ）に安定剤（５）を塗布してから歯茎（Ｇ）へ義歯（１）、又は（１Ａ）を嵌め込み取り付ける事で安定剤（５）の成分が唾液又は、水分を含む事により粘着力を生み出すその成分の特性を活かし義歯（１）、又は（１Ａ）を歯茎（Ｇ）に固定させる事が出来る医療用具としての安定剤（５）でこれらの安定剤（５）に使用されてる主成分としては、メトキシエチレン無水マレイン酸共重合体塩、白色ワセリン、カルボキシメチルセルロースナトリウム使用の安定剤（５）、又はメトキシエチレン無水マレイン酸共重合体塩、白色ワセリン、カルメロースナトリウム使用の安定剤（５）及びメトキシエチレン無水マレイン酸共重合体、ＣＭＣナトリウム、ポリエチレングリコール使用の安定剤（５）など製薬会社等により成分の相違及び成分の分量、配合などそれぞれ異なるものからなる安定剤（５）で、これら全ての使用方法は前記に述べた如く各安定剤（５）が同様の使用方法で義歯（１）、又は（１Ａ）を歯茎（Ｇ）に取り付け固定させるものである。一方これらの安定剤（５）を使用時に熱湯内、又はレンジ内で熱し、クリーム状のものから半液体状（５ａ）にし安定剤（５）と同様に義歯（１）、又は（１Ａ）の歯茎（Ｇ）に密着する要所の各部分に置きその義歯（１）、又は（１Ａ）を歯茎（Ｇ）に取り付けた後に一旦義歯（１）、又は（１Ａ）を歯茎（Ｇ）より取り外し歯茎（Ｇ）等に取り付いた半液体状固定タイプ義歯安定剤（５ａ）の表面に唾液、又は水分を含ませてから再度義歯（１）、又は（１Ａ）を歯茎（Ｇ）に取り付ける事により、其の侭安定剤（５）として使用する時に比べ義歯（１）、又は（１Ａ）が歯茎（Ｇ）に固定する即効力と接着力が頗る強力で確りと違和感なく固定し、しかもその持続力を持つと共に半液体状（５ａ）が溶け出す違和感もない安定剤（５）の使用方法で安定剤（５）に含まれている成分の特異性をこの様な使用方法によって生み出したものである。
【００２２】
上記に述べた如く安定剤（５）を熱し半液体状（５ａ）にして使用するために安定剤（５）を１回分として使用する目安の分量、又は義歯（１）、又は（１Ａ）が歯茎（Ｇ）に密着する要所部分の前歯側（１ｃ）又は（２ｃ）及び、その両側部分（１ａ）（１ｂ）、又は（２ａ）（２ｂ）、又中央部分（１ｄ）に使用する目安の分量等に小分けにした安定剤（５）を熱と水等に強く、又熱を伝え易い紙類、合成樹脂、金属の素材、又はこれらの素材の組合せによって作られたチューブ（１１）、又ミルク、ジャムなどの小分け用蓋付き容器（４）、及び同様の素材を使用した袋状のパッケージ（２）それぞれの中に入れ密封したものである。
【００２３】
又、チューブ（Ｆ）等の容器より安定剤（５）を使用する分量だけ取り出して、前記に記載した熱と水に強い同様の素材による小皿又は半円形、円形、箱形、舟の形等の小さな容器、又は安定剤（５）をアルミホイル、セロハン、油紙などに包みさらにそれを覆う様にラップフイルム等のシート状の素材で包み、輪ゴム、セロテープ、クリップ等でその口をとめ密封したものを使用するものでラップフィルムを重ね包んで密封しても使用する事が出来るものである。
【００２４】
この様に、安定剤（５）を小分けにして入れたそれぞれの容器（１１）（４）、又は袋状のパッケージ（２）及びラップフィルム等シート状のもので包み密封したものを熱湯内、又はレンジ内でほんのわずかな時間熱する事により容器（１１）（４）及び袋状のパッケージ（２）並びにラップフィルム等で小分けにし密封した安定剤（５）がこれらの内部でドロドロとした半液体状（５ａ）になる。尚、レンジ内で加熱の場合容器等に水などを入れその中へ安定剤（５）入りのチューブ（１１）等を入れてレンジを使用するものである。
【００２５】
この様にして安定剤（５）が半液体状（５ａ）になった熱湯内の容器（１１）（４）、及び袋状のパッケージ（２）等をそれぞれ箸等で、熱湯内、又レンジより取り出し、容器（１１）（４）の封（１３）又は蓋（４ａ）、及び袋状のパッケージ（２）の切り口（３）  を取り払い、又ラップフィルム等で密封したものをハサミ  で端を切り開き、中味の半液体状（５ａ）を義歯（１）、又は（１Ａ）の歯茎（Ｇ）に密着する要所の各部分（１ａ）（１ｂ）（１ｃ）（１ｄ）又は（２ａ）（２ｂ）（２ｃ）へ置き、少し半液体状（５ａ）を冷やしてからその義歯（１）、又は（１Ａ）を歯茎（Ｇ）へ嵌め込む様にして取り付けるものである。
【００２６】
この様にして義歯（１）、又は（１Ａ）を歯茎（Ｇ）に取り付けた後上、下の歯同士で暫く噛みしめておき、安定剤（５）を半液体状（５ａ）にした事によりクリーム状の安定剤（５）とは異なり半液体状（５ａ）のその形状から歯を噛み合せた時に全く違和感を感じさせる事がなく又義歯（１）、又は（１Ａ）の歯茎（Ｇ）に密着する要所の各部分（１ａ）（１ｂ）（１ｃ）（１ｄ）、又は（２ａ）（２ｂ）（２ｃ）の狭い部分まで細く半液体状（５ａ）が行き渡り、しかも上、下の歯を確りと噛み締める事により義歯（１）、（１Ａ）と歯茎（Ｇ）が接する部分で薄く幅の広いものとなり半液体状（５ａ）を義歯（１）、又は（１Ａ）の歯茎（Ｇ）に密着する要所の各部分、及び対する歯茎（Ｇ）の部分に十分取り付ける事が出来るのである。
【００２７】
この様な状態から暫くして一旦義歯（１）、又は（１Ａ）を歯茎（Ｇ）より取り外し、歯茎（Ｇ）の表面、又は対する義歯（１）、（１Ａ）の部分に取り付いた半液体状（５ａ）の表面をさらっと舌でなめる程度の唾液又は水分を含ませてから取り外した義歯（１）、又は（１Ａ）を再度歯茎（Ｇ）に取り付けてわずかの間上、下の歯を噛み締めたままにする事でピッタリと義歯（１）、又は（１Ａ）が安定剤（５）の使用時には考えられぬ程の即効力で強力に確りと歯茎（Ｇ）に接着固定され又、半液体状（５ａ）が溶け出す違和感もなく、通常この様な状態を約一日間持続しプラスチック床及び金属床の義歯に対して使用する事が出来るものである。又、義歯（１）、又は（１Ａ）が歯茎（Ｇ）に対しガタツキが少ない人には義歯（１）、又は（１Ａ）を歯茎（Ｇ）に取り付け、そのままで使用出来る人、又は接着力が多少弱いと感じる人は義歯（１）、又は（１Ａ）を歯茎（Ｇ）に取り付けてから、一旦取り外すまでの間をよりわずかにして使用しても確りと強く義歯（１）、又は（１Ａ）が歯茎（Ｇ）に固定する事が出来るもので義歯（１）、又は（１Ａ）と歯茎（Ｇ）との不具合等により一度で確り固定しない場合には再度唾液又は水分を含ませて付け直す事により簡単に確りと固定させる事が出来るものである。又、半液体状（５ａ）を義歯（１）、又は（１Ａ）の歯茎（Ｇ）に密着する要所の各部分に取り付けてから義歯（１）、又は（１Ａ）を歯茎（Ｇ）に取り付け上、下の歯で確り噛み締めながら暫くして義歯（１）、又は（１Ａ）を歯茎（Ｇ）より取り外し、舌を使って唾液を歯茎（Ｇ）の表面に取り付いた半液体状（５ａ）の表面部分に含ませる方法が義歯（１）、又は（１Ａ）を歯茎（Ｇ）へ固定させる上で、より確実で簡単な方法である。又安定剤（５）を熱し半液体状（５ａ）にして使用する時は、半液体状（５ａ）を義歯（１）、又は（１Ａ）の歯茎（Ｇ）に密着する要所の各部分（１ａ）、（１ｂ）、（１ｃ）、（１ｄ）又は（２ａ）（２ｂ）（２ｃ）等に置きヘラ（９）等を使って適度にならしドロドロとした形状が多少冷えてきた時に、義歯（１）、又は（１Ａ）を歯茎（Ｇ）へ取り付ける事がより確実に義歯（１）、又は（１Ａ）を歯茎（Ｇ）に固定させる要因に繋がる方法である。
【００２８】
この様に、複数の成分を含んだ安定剤（５）は唾液、又は水分を含ませる事により粘着性の接着力が生れる特性を持っている外に安定剤（５）を一度熱し半液体状にして義歯（１）、（１Ａ）に取り付け、それが冷えた時に唾液又は水分と結合させる事により義歯（１）、又は（１Ａ）が義歯（Ｇ）に確りと固定する即効力と同時に強い接着力を生み出す特異性を持つ特徴がある事が解ったのである。しかしながら現在まで一般的には安定剤（５）に使用されてる成分は熱する事により分解するために義歯安定剤としての役目を果たすものではないとの見解から全くこの様な使用の方法はなされていなかったものである。そして又、安定剤（５）の使用している成分にもよるものでもあるが、半液体状（５ａ）と安定剤（５）に唾液又は水分を含ませ放置しておく事により、半液体状（５ａ）は長時間経っても弾力性を保つ事が出来る物質になるのに対し、安定剤（５）は長時間経つと硬く弾力性を全く持たぬため手で触れるとバラバラになる物質となり、いかに安定剤（５）を熱し半液体状（５ａ）にして使用する事により、確りと義歯（１）、又は（１Ａ）が歯茎（Ｇ）に強い力で接着し、しかも長時間それを持続する事が出来るかを証明する一つの材料となるものである。
【００２９】
又、安定剤（５）を義歯（１）、又は（１Ａ）が歯茎（Ｇ）に密着する要所各部分に取り付け歯茎（Ｇ）に固定させた時のいろいろな状態を
【従来の技術】の項目内で述べた通りで、安定剤（５）は各メーカーによって成分の相違、及び類似する成分の配合等により使用時にはそれぞれに長所と短所があり、又人によってそれらの長所と短所の感じ方も使用している義歯（１）、又は（１Ａ）と歯茎（Ｇ）との関係においての状態の違いにより、安定剤（５）に対しての意見もそれぞれ異なるもので、一概に各安定剤（５）の長所と短所を判断する事はむずかしいものである。
【００３０】
しかし、全ての人に共通する義歯安定剤としての理想像とは義歯に義歯安定剤を取り付け歯茎に取り付ける事により義歯が歯茎に確りと持続して固定され、しかも自分の歯と最も類似し違和感が無く飲食及び会話をする事等に何等支障がない、こうした安定剤によって義歯を使用する事が出来る事を求めているものである。
【００３１】
これらの事を十分頭に入れ安定剤（５）の粘着力をいかにより以上違和感無く強いものにする事が出来るか、いろいろ模索をした事で、義歯（１）、又は（１Ａ）を歯茎（Ｇ）に取り付ける時、双方が密着し接する義歯（１）、又は（１Ａ）と歯茎（Ｇ）の面に対しいかに同量に近い安定剤（５）を双方に簡単に取り付ける事が出来るか、又それにより今まで義歯（１）、又は（１Ａ）だけに安定剤（５）を塗布していたものよりも粘着力が双方より生れしかも薄いものとなり違和感なく強い接着する力になるものとの発想から歯茎（Ｇ）に対しても簡単に安定剤（５）を塗布する方法としたものが安定剤（５）を熱して半液体状（５ａ）として使用する方法としたものなのである。
【００３２】
この方法より義歯（１）、又は（１Ａ）の要所（１ａ）（１ｂ）（１ｃ）（１ｄ）又は（２ａ）（２ｂ）（２ｃ）部分に半液体状（５ａ）を置き歯茎（Ｇ）に取り付けた時、その部分に密着する歯茎（Ｇ）の要所の部分にも十分な半液体状（５ａ）を取り付ける事が出来その半液体状（５ａ）の表面に唾液又は水分を含ませる事により今まで試みられていなかった弾力性の強い物質に半液体状（５ａ）が変化して、義歯（１）、又は（１Ａ）と歯茎（Ｇ）に取り付いたそうした半液体状（５ａ）が互いに確りと合体し合う事により義歯（１）、又は（１Ａ）が歯茎（Ｇ）に固定する即効力と強い接着力、及びそれを持続する力を生み出す事が出来、又そうした効力は自分の歯と類似する義歯（１）、（１Ａ）の固定度合となりそれが歯茎（Ｇ）より伝わって来るものである。
【００３３】
こうした半液体状（５ａ）にして特にその効果を増す安定剤（５）の中でその使用している主要成分がメトキシエチレン無水マレイン酸共重合体塩、白色ワセリン、カルボキシメチルセルロースナトリュウム使用の安定剤（５）及びメトキシエチレン無水マレイン酸共重合体塩、白色ワセリン、カルメロースナトリュウム使用の安定剤（５）で他の安定剤（５）で主要成分であるメトキシエチレン無水マレイン酸共重合体、ＣＭＣナトリュウム、ポリエチレングリコールを使用の安定剤（５）はもともと他の安定剤（５）と比べ通常の使用方法をした場合でも粘着力が大変弱いもので、それでも半液体状（５ａ）にして同様の方法で使用する事によりそのまま安定剤（５）として使用するよりは接着力が確りと強いものになるのである。
【００３４】
この様に安定剤（５）を熱し半液体状（５ａ）にして使用する事により今まで以上に確りと義歯（１）、又は（１Ａ）が歯茎（Ｇ）に固定する事により義歯（１）、（１Ａ）と歯茎（Ｇ）それぞれのガタツキの具合に合せ半液体状（５ａ）の使用する分量を調節して使用する事で全ての人に満足して使用する事が出来るものである。又時として使用中に歯茎（Ｇ）より義歯（１）、又は（１Ａ）がゆるみ始めた場合には、義歯（１）、又は（１Ａ）を外し安定剤（５）を義歯（１）、又は（１Ａ）の歯茎（Ｇ）に密着する要所特に両脇（１ａ）（１ｂ）又は（２ａ）（２ｂ）部分に補強する程度の安定剤（５）を取り付け義歯（１）、又は（１Ａ）に残り取り付いている半液体状（５ａ）と合せ義歯（１）、又は（１Ａ）を歯茎（Ｇ）に取り付ける事により再び強固に歯茎（Ｇ）へ固定させる事が出来るものである。
【００３５】
この様な事からも義歯（１）、又は（１Ａ）を歯茎（Ｇ）に取り付け固定する方法を請求項１．に記載の如く歯茎（Ｇ）の表面、又は義歯（１）、又は（１Ａ）が歯茎（Ｇ）に密着する要所の各部分に取り付いた半液体状（５ａ）の表面に唾液、又は水分を含ませる時、同時に義歯（１）、又は（１Ａ）が歯茎（Ｇ）に密着する要所の部分で、特に両脇（１ａ）（１ｂ）、又は（２ａ）（２ｂ）等に安定剤（５）を取り付けてから義歯（１）、又は（１Ａ）を歯茎（Ｇ）に取り付け固定する、こうした半液体状（５ａ）と安定剤（５）とを合せて使用する事で、半液体状（５ａ）が義歯（１）、又は（１Ａ）と歯茎（Ｇ）とを確り固定する即効力に安定剤（５）の粘着力とが相俟って安定剤双方のそうした長所となる特性を十分に活したものとなり、安定剤（５）だけの使用時と比べ一段と義歯（１）、又は（１Ａ）を歯茎（Ｇ）に強力にしかも素早く接着固定させ、又それを持続する事にも優れた義歯の安定剤となり、人それぞれの義歯（１）、又は（１Ａ）と歯茎（Ｇ）とのガタツキ具合に合せ、半液体状（５ａ）だけで、又はこの様に半液体状（５ａ）と安定剤（５）とを一緒に使用する事で義歯の安定剤としてその効果を一層発揮する事が出来る安定剤（５）の使用法なのである。
【００３６】
又、水溶性高分子を主基剤とする安定剤（５）を義歯（１）、又は（１Ａ）並びに歯茎（Ｇ）に同量の安定剤（５）を取り付ける事により接着力が増す一つの要因としての考えから安定剤（５）に新たな成分を加えたもの、及び類似した成分を使用したもので、例えクリーム状でない義歯安定剤でも、熱して半液体状にして使用する事で義歯安定剤としてその使用の効果があるものであれば本発明の半液体状（５ａ）と同様のものであり、又安定剤（５）が例え粉末、錠剤のものでも使用成分が同様、又は類似しているものであればそれらを半液体状（５ａ）のものにして使用する事も不可能な事ではないものである。
【００３７】
又、安定剤（５）を熱し分量を間違えたり都合で使用せず半液体状（５ａ）が残った場合次回に再度熱し直して使用する事が出来るが中には一度熱すると多少接着力が低下する安定剤（５）もあり、その様な場合新しい安定剤（５）と混ぜ熱して使用すれば支障なく、残った半液体状（５ａ）にしたものを再度使用する事が出来るものである。
【００３８】
又、熱湯内で安定剤（５）入りチューブ（１１）、又はミルクなどの小分け用蓋付き容器（４）、及び袋状のパッケージ（２）に取り扱いを便利にするため、各容器（１１）、（４）、（２）に紅茶のバッグと同様の方法で糸（７）、（１５）とその先端に手持ち部材（８）が付いているものを取り付けその糸（７）を通す様に取り付ける事が出来る金属製の錘（１７）を付ける事により熱湯内で各容器（１１）、（４）、（２）が浮く事なく熱する事が出来る様にしたもので、手持ち部材（８）を指で挟み左右に動しながら操作をすれば錘（１７）を取り付けなくとも十分に使用する事ができる。こうしたものを取り付ける事により挟む用具（Ｅ）又は箸を使う必要もなく取り扱いには大変便利なものとなるのである。
【００３９】
又チューブ（１１）の口（１２）に油紙（１３）を封として取り付けたのは使用している時に熱したままそれを忘れた場合に破裂などを防ぐためで油紙（１３）の他に合成樹脂の素材のものでも使用する事が出来、又通常のチューブに使われているネジ式又は嵌め込み式の蓋を使用する事も出来る。
【００４０】
又、口（１２）に油紙（１３）及び合成樹脂の素材で封を取り付け、それを覆う様に通常のネジ式、又は嵌め込み式の蓋を取り付ける事も出来る。
【００４１】
又、義歯（１）、又は（１Ａ）の床等の複雑な狭い部分、入り組んだ部分にチューブ（１１）の口（１２）の形も合せ丸型、薄く平らな横に広い形などいろいろと考えられるが、ドロドロした半液体状（５ａ）の形状のものを義歯（１）、又は（１Ａ）の床へ流し置く様にチューブ（１１）の口（１２）から出す事だけで通常使用されている丸型の形でも十分それに適応が出来るものである。
【００４２】
又、上記に述べた如くチューブ（１１）に取り付ける各種の口（１２）の形の他にチューブ（１１）又はミルクなどの小分け用蓋付き容器（４）及び袋状パッケージ（２）本体の形もそれぞれを弁当内の醤油入れの形、又は、丸型、三角形、楕円形、ハート形、小分けにした砂糖入りパッケージの細長い形、その他各種類の動物の形、及び魚の形、又各種くだもの、野菜などの形にしたものをチューブ（１１）蓋付き容器（４）及び袋状のパッケージ（２）の本体の形として使用する事が出来又、ラップフィルム等のシート状のもので袋状にしたものを口が開いている部分より安定剤（５）を入れ封だけすれば袋状のパッケージ（２）と同じ様に使用する事ができるものもこの様な容器（１１）（４）（２）と同様にいろいろな形にして使用することが出来るものである。
【００４３】
又、この様な形にする事により、洗面所などに並べて置いて楽しく使うと云う事よりも、外出時にチューブ（Ｆ）などを持って外出する事は特に女性にとって義歯安定剤とすぐ解る太いチューブ（Ｆ）のものよりも大変喜ばれるものである。
【００４４】
しかしながら本発明のものは持ち運びに便利なものであるが使用する場合にせめて茶碗（Ｄ）等の容器と熱湯又はレンジ等が必要で安定剤（５）を半液体状（５ａ）にして使用出来ない場合には安定剤（５）のままで、又は前記で述べた様に補強のために安定剤（５）を使用し安定剤（５）と半液体状（５ａ）を兼用とした携帯用のものとしてもこの様な容器に入った安定剤（５）を手軽に持ち運び使用する事が出来その様なためにも各容器（１１）、（４）、（２）一つ一つを紙製等の箱、又はシート状のもので包み密封するなどして益々高齢化の進む中何処でも簡単に使用する事が出来るものである。
【００４５】
又、熱湯内でチューブ（１１）及び蓋付き容器（４）、又は袋状のパッケージ（２）、及びシート状のものでくるみそれをラップフィルムで包み密封したものを熱する場合、フライパン（Ａ）、又は小さなナベ等に水を浅く曳く事ですぐ沸騰し又取り出す事も簡単で早くそれぞれの容器に入っている安定剤（５）を半液体状（５ａ）に変えて使用する事が出来、又レンジでも工夫した方法で半液体状（５ａ）に変えすぐに使用する事が出来る。又これらの容器（１１）（４）（２）等を透明な素材で作り安定剤（５）を熱し半液体状（５ａ）にするうえで、安定剤（５）が熱せられる事で変色する染料を加えた安定剤（５）を使用し、その変色の状態を確認しつつ安定剤（５）の熱し加減を判断し半液体状（５ａ）として使用する事も出来るものである。
【００４６】
そして又、温めた茶碗（Ｄ）等の容器の中に安定剤（５）入りのチューブ（１１）、蓋付き容器（４）又は袋状のパッケージ（２）、並びに安定剤（５）をラップフィルムで包み密封したもの等を入れ茶碗（Ｄ）等の容器の中にヤカン（Ｃ）又はポット等で熱湯を注ぎいれても簡単に安定剤（５）を半液体状（５ａ）にする事が出来、家庭内はもとより携帯用として近くへの外出時又は旅行等で持ち運びホテル、旅館等でも手軽に使用する事が出来るものである。
【００４７】
又、袋状のパッケージ（２）の素材として熱と水に強い紙製の袋でその内側部分を熱に強く、又熱を伝え易く体に影響がないもので樹脂加工を施したもの、又カレー入りのアルミ製の袋状のパッケージと同様のものを使用する事が出来、又家庭内でもチューブ（Ｆ）より油紙等の細長いものの上に安定剤（５）を取り出して包み込みその上からラップフィルムで包んで密封し熱すれば簡単に半液体状（５ａ）にして使用する事が出来るものである。
【００４８】
そしてそれを熱した後にはさみで端を切り取る事で中味の半液体状（５ａ）を取り出して使用する事が出来るものである。
【００４９】
又、目の不自由の人のためにもチューブ（１１）、及び袋状のパッケージ（２）等に点字の表示を取り付けたもの及び点字のシールを貼る事が出来る様にした容器（１１）、及び袋状のパッケージ（２）を作る事が出来、目の不自由な人にも茶碗（Ｄ）等の容器内に熱湯を入れ使用する事が出来るものである。
【００５０】
又、請求項３．に記載した如く市販されているチューブ（Ｆ）入りのクリーム状粘着タイプ義歯安定剤（５）を使用する分量を熱と水に強く、しかも熱を伝え易い合成樹脂、紙類のシート状の素材にそのまま、又は薄い板状のものに安定剤（５）を乗せそれをラップフィルム等のシート状素材で包み密封して熱湯内、又はレンジ内で熱し安定剤（５）を半液体状（５ａ）にして義歯（１）、又は（１Ａ）の歯茎（Ｇ）に密着する要所部分（１ａ）（１ｂ）（１ｃ）（１ｄ）、又は（２ａ）（２ｂ）（２ｃ）に流し置く様にして義歯（１）、又は（１Ａ）を歯茎（Ｇ）に嵌め込む様に取り付けるもの、又はこの様なものとは別にチューブ（Ｆ）などの容器より取り出した安定剤（５）を熱、及び熱湯に強い合成樹脂、金属、陶器、木製、紙製の小皿、又は半円形、円形、箱形、舟の形、並びに器より義歯（１）、又は（１Ａ）の歯茎（Ｇ）に密着する要所への部分へ液体状を流し込み易い形にした小さな容器等に入れラップフィルム等で包み密封して熱湯内、及びレンジ内、又は電気、ガス、ガスボンベ、石油を使って熱を発し料理等を作る事の出来るコンロ等を使用し熱湯内で熱し半液体状（５ａ）にして使用する事が出来るものである。
【００５１】
又、長い間同じ義歯（１）、又は義歯（１Ａ）を使用して歯茎（Ｇ）が細りガタツキがきて義歯安定剤を使用するものであるが人それぞれ歯茎（Ｇ）の細る部分が異る事で義歯（１）、（１Ａ）それぞれが歯茎（Ｇ）にきちんと密着する要所の部分へ半液体状（５ａ）を多目に置く様に使用する事でより確りと義歯（１）、又は（１Ａ）を歯茎（Ｇ）に固定させる事が出来るものである。
【００５２】
こうした義歯（１）、又は（１Ａ）と歯茎（Ｇ）との密着する部分を知る方法として、半液体状（５ａ）を義歯（１）、又は（１Ａ）に取り付け歯茎（Ｇ）に固定してから一旦外した時に、義歯（１）、（１Ａ）が歯茎（Ｇ）に固定した義歯（１）、（１Ａ）の接着部分の半液体状（５ａ）の状態をチェックして見る事により義歯（１）、又は（１Ａ）と歯茎（Ｇ）との接している部分の状態が良く解るものである。
【００５３】
これらの事を含め安定剤（５）を、いろいろな形等にしたチューブ（１１）及び小分け用蓋付き容器（４）又、袋状のパッケージ（２）及びシート状の素材等に入れて包んだものなどをそれぞれの方法で熱し半液体状（５ａ）にして義歯（１）、又は（１Ａ）及び義歯（１）、（１Ａ）双方を使用している人の義歯安定剤として使用する事により、安定剤（５）をそのまま使用する時と比べ義歯（１）、（１Ａ）それぞれが歯茎（Ｇ）に違和感なく長時間確りと固定する事で自分の歯とより類似した感覚をもたすものとなり一日を爽快に過す事が出来るのである。
【００５４】
【実施例】
この発明の実施例を図面に基づいて説明する。
【００５５】
上顎用義歯（１）の床の要所へ安定剤（５）を塗布する義歯（１）床の要所部分（１ａ）（１ｂ）（１ｃ）（１ｄ）を示したものが図１（ａ）（ｂ）である。
【００５６】
その上顎用義歯（１）の床の要所部分（１ａ）（１ｂ）（１ｃ）（１ｄ）へチューブ（Ｆ）入り安定剤（５）を塗布するものである、図１（ｃ）（ｄ）。又同様に下顎用義歯（１Ａ）が歯茎（Ｇ）に密着する要所の各部分（２ａ）（２ｂ）（２ｃ）へチューブ（Ｆ）入りの安定剤（５）を塗布するものが図６（ａ）（ｂ）である。
【００５７】
図１（ｃ）（ｄ）及び図６（ａ）（ｂ）の様に安定剤（５）を義歯（１）、又は（１Ａ）が歯茎（Ｇ）に密着する要所の部分へ取り付けてから歯茎（Ｇ）に合せ取り付け、上、下の歯を硬く噛み合せ使用しているうちに安定剤（５）に唾液、又は水分が含まれる事により粘着力が発揮されて来るもので、それ故に完全に固定されるまでには時間がかかるものである。
【００５８】
又、安定剤（５）の中で使用されている成分で低い温度に対してチューブ（Ｆ）内で硬くなる製品もあり、老人にとってはチューブ（Ｆ）の外へ安定剤（５）を押し出すのに苦労し使用には不便で、又それを義歯（１）の床の要所部分（１ａ）（１ｂ）（１ｃ）（１ｄ）に乗せる様に置き、その義歯（１）を歯茎（Ｇ）に取り付ける時又、使用時にもピッタリと歯茎（Ｇ）に義歯（１）床が密着せず図２（ａ）又、義歯（１Ａ）の場合も全く同様で違和感を感じる人もいるのである。
【００５９】
しかし安定剤（５）の中には低い温度に対しても影響がない安定剤（５）もあり、スムーズにチューブ（Ｆ）の外に安定剤（５）を押し出して、同様に義歯（１）又は（１Ａ）が歯茎（Ｇ）に密着する部分にそれを塗布し歯茎（Ｇ）にピッタリと取り付ける事が出来るものの、前者とは逆に粘着力が弱く、安定剤（５）でも製品によってそれぞれの使用する成分、又製法により長所と短所を持った安定剤（５）なのである。
【００６０】
この様な安定剤（５）を熱と水に強く、又熱を伝え易い紙類、合成樹脂、金属の素材を使用した袋状のパッケージ（２）図２（ｂ）（ｃ）（ｄ）でこの他いろいろな形にした袋状のパッケージ（２）の中に安定剤（５）を各種の分量とその分量に合せた大きさの袋状のパッケージ（２）に入れ密封したもので、使用する時に熱湯内、又はレンジ内等で熱し袋状のパッケージ（２）の切り口（３）を切り開く事により中味の安定剤（５）がドロドロとした半液体状（５ａ）となって切り口（３）部分から流れる様に出て来るものである。図２（ｅ）
【００６１】
この時、切り口（３）の反対方向の隅（３ａ）より親指と人差し指で袋状のパッケージ（２）を挟み、切り口（３）の方向（３ｂ）へ挟んだ両方の指を同時にずらす事により半液体状（５ａ）がスムーズに切り口（３）部分より流れ出て無駄なく袋状のパッケージ（２）の外へ押し出す事が出来るものである。
【００６２】
又、この様な袋状のパッケージ（２）の片側部分の一方を底として薄い板状のものを取り付けた袋状のパッケージにする事によりドロドロとした半液体状（５ａ）を切り口（３）より出し易く又、袋状のパッケージ（２）の形も切り口方向（３ｂ）へ向けて幅が狭くなるものにする事により挟まれた出口より半液体状（５ａ）を思う様に扱い易く出す事が出来て使用し易いものになるものである。
【００６３】
又、安定剤（５）を小分けにしてチューブ（１１）に入れたものが図３（ａ）（ｂ）で、その口（１２）部分に封をするため貼る様に取り付ける油紙（１３）が図３（ｃ）で油紙（１３）の他に合成樹脂のものでも封として使用する事が出来る。図３（ｄ）、又この様に封をした口（１２）の部分全体を嵌め込む事の出来る合成樹脂等による蓋又はネジ式の蓋を取り付けたものも使用する事が出来る。
【００６４】
こうしたチューブ（１１）の形もいろいろな形のものを使用し袋状のパッケージ（２）と同様にチューブ（１１）の中に安定剤（５）を各種の分量とその分量に合せた大きさのチューブ（１１）に入れ封をしたもので、使用する時に熱湯内、又はレンジ内等で熱しチューブ（１１）の口（１２）の油紙（１３）の封を取りさる事により中味の安定剤（５）がドロドロとした半液体状（５ａ）となって口（１２）より流れる様に出て来るものである。図３（ｅ）
【００６５】
又、この様なチューブ（１１）の本体と口（１２）部分へ至る部分を長いものにすると使用し易いものであるが口（１２）の途中で半液体状（５ａ）が残る事もあり十分にそのへんを考えたチューブ（１１）の形にすべきである。
【００６６】
又、安定剤（５）入り袋状のパッケージ（２）を熱し半液体状（５ａ）にして上顎用義歯（１）床の要所の各部分（１ａ）（１ｄ）等に流し込む様に置くものが図４（ａ）で、又同様に下顎用義歯（１Ａ）が歯茎（Ｇ）に密着する要所の各部分（２ａ）（２ｂ）等に置くものが図６（ｃ）である。又同様にチューブ（１１）を使用したものが図４（ｂ）及び図６（ｄ）で半液体状（５ａ）をドロドロとした状態のまま義歯（１）の床、又は（１Ａ）が歯茎（Ｇ）に密着する要所の各部分に流し込む様に置くものである。そして図３（ｆ）のヘラ（９）とその先端部分（ｇ）が平たく薄いものを義歯（１）床、又は（１Ａ）の要所の各部分に置いたドロドロとした半液体状（５ａ）を適度に均すために使用し又、この様なヘラ（９）を義歯（１）、又は（１Ａ）の使用後に義歯（１）、又は（１Ａ）を歯茎（Ｇ）より取り外し義歯（１）、又は（１Ａ）をぬるま湯に漬けておきその後取り出して義歯（１）、又は（１Ａ）の床等の掃除用としても使用する事が出来るものである。
【００６７】
この様に安定剤（５）を熱してドロドロとした半液体状（５ａ）にして義歯（１）、又は（１Ａ）が歯茎（Ｇ）に密着する要所の各部分（１ａ）（１ｂ）（１ｃ）（１ｄ）、又は（２ａ）（２ｂ）（２ｃ）に流し込むように置き、それをヘラ（９）で均してから歯茎（Ｇ）に取り付け密着したものが図４（Ｃ）で安定剤の形状が半液体状（５ａ）であるために歯茎（Ｇ）にピッタリと全く違和感なく義歯（１）、又は（１Ａ）が密着し固定させる事が出来るのに対し、低い温度に弱くチューブ（Ｆ）内で硬くなる安定剤（５）は図２（ａ）の状態で義歯（１）、又は（１Ａ）が歯茎（Ｇ）に対しての密着度が悪く義歯（１）、又は（１Ａ）を歯茎（Ｇ）に固定させる時、特に安定剤（５）の使用に慣れてない人に対しては違和感を感じさせるものである。
【００６８】
又、熱湯内でチューブ（１１）及びミルクなどの小分け用蓋付き容器（４）又は袋状のパッケージ（２）等の中に入れた安定剤（５）を熱する時に取り扱いを便利なものとするため紅茶のバッグと同様の方法にした用具（１６）でその糸（７）（１５）に挟み込むように錘（１７）を取り付けて図５（ａ）、（ｂ）の様に熱湯内でチューブ（１１）、又は蓋付き容器（４）、袋状のパッケージ（２）等が熱湯内で浮かない様にした用具（１６）図５（ｄ）でこの部材（１６）の弾力性を持つ輪状（１４）内に容器（１１）、（４）、（２）等を嵌め込んで熱する時に使用し、その用具（１６）に取り付ける錘（１７）が図５（ｅ）で予め輪状（１４）と糸（７）（１５）との取り付け部分に錘を固定させた用具（１６）を作る事も出来る。
【００６９】
又、図４（ｅ）はミルクなどの小分け用蓋付き容器（４）でこの形もジャムを小分けした四角形、又は長方形の細長い形、三角形などの形のものを使用しドロドロとした半液体状（５ａ）を義歯（１）、又は（１Ａ）が歯茎（Ｇ）に密着する要所の各部分へ流し置き易いＶの字形の取り出し口を設けた容器（４）を使用する事により半液体状（５ａ）を取り出し易いものにする事が出来、又錠剤がアルミ製のシート状内で納められている様に蓋付き容器（４）等をこの様な方法でシート状のものより一つ一つ切り取って使用する事が出来又、コンパクトなものになって簡単に箱などのケース内にきちんと整理して入れておく事が出来るものである。
【００７０】
これらの安定剤（５）を小分けにして入れたチューブ（１１）、蓋付き容器（４）、袋状のパッケージ（２）等を熱湯内で熱する場合フライパン（Ａ）、又は小さな鍋等に水を浅く曳き熱しているものが図５（ａ）で水から沸騰するのも早く簡単に安定剤（５）を半液体状（５ａ）にする事が出来、水が浅いと中に入れた容器（１１）（４）（２）等の取り扱いも容易いものである。又前記に述べた如く家庭内等で使用されているレンジは主に料理を目的として作られているもので小さな物は加熱が出来ないため底の浅い陶器など熱に強い容器内に水を入れその中にチューブ（１１）等を入れる工夫をし加熱する事により老人にも簡単で安全にレンジを使用して安定剤（５）を短時間で半液体状（５ａ）にする事が出来る。
【００７１】
又、温めた茶碗（Ｄ）等の容器にチューブ（１１）又は他の容器（４）（２）並びにシート状で包み密封したもの等を中に入れやかん（Ｃ）又はポット等で熱湯を注ぎ入れる事で図５（ｂ）最も簡単で早く、中味の安定剤（５）を半液体状（５ａ）にする事が出来、家庭内は勿論旅行等でホテル、旅館でも手軽に携帯して容易く使用する事が出来るものである。
【００７２】
【発明の効果】
本発明は各種の義歯安定剤がある中で、水溶性高分子を主基剤とする、クリーム状の粘着タイプ義歯安定剤を熱湯内等で熱し、半液体状にしたものを義歯安定剤として使用する事により、クリーム状のまま使用する時と比べ義歯が歯茎に固定する即効力と、その接着力に大変優れ、使用するときに多少の手間がかかるものの、固定する持続力も十分であるから、その手間も短所とはならず、しかも半液体状とした事で、ピッタリと違和感なく義歯を歯茎に固定させ自分の歯とより類似した感覚を持たすものとして使用する事が出来るため、それまであったクリーム状粘着タイプ義歯安定剤の短所を全て解決する事が出来る使用の方法を提供する事ができたのである。
【図面の簡単な説明】
【図１】（ａ）は上顎用、義歯の斜視図である。
（ｂ）は上顎用、義歯の床部分の平面図である。
（ｃ）は上顎用、義歯の床部分にチューブに入ったクリーム状義歯安定剤の摘出時の斜視図である。
（ｄ）は上顎用、義歯の床部分にチューブに入ったクリーム状義歯安定剤の摘出時の平面図である。
【図２】（ａ）はクリーム状義歯安定剤を摘出した上顎用義歯を歯茎に密着させた時点での一部分の断面図である。
（ｂ）は本発明の袋状のパッケージ内に小分けにしたクリーム状義歯安定剤を入れた平面図である。
（ｃ）は本発明の図（ｂ）の側面図である。
（ｄ）は本発明の図（ｂ）の正面方向からの断面図である。
（ｅ）は本発明の図（ｂ）（ｃ）を熱し後に、パッケージの口を開け、形状が半液体状の義歯安定剤となってパッケージ外に押し出した斜視図である。
【図３】（ａ）は本発明の熱と水に強く、熱を伝え易い素材によるチューブ内に小分けにしたクリーム状義歯安定剤を入れたものの斜視図である。
（ｂ）は本発明の図（ａ）の正面図である。
（ｃ）は本発明の図（ａ）の口に封として使用する油紙の平面図である。（ｄ）は本発明の図（ａ）の口に図（ｃ）の油紙で封をした時点での斜視図である。
（ｅ）は本発明の図（ｄ）の口の封を開け半液体状となった義歯安定剤を押し出した時点での斜視図である。
（ｆ）は本発明の半液体状の安定剤を使用し義歯の使用前と使用後に床の部分の半液体状安定剤を均す用具の斜視図である。
（ｇ）は本発明の図（ｆ）の先端部分の斜視図である。
【図４】（ａ）は本発明の半液体状義歯安定剤を袋状のパッケージより上顎用義歯の床部分へ流し置く時点での斜視図である。
（ｂ）は本発明の半液体状義歯安定剤をチューブより上顎用義歯の床部分へ流し置く時点での平面図である。
（ｃ）は本発明の半液体状義歯安定剤を流し置いた上顎用義歯を歯茎に密着し固定させた一部分の断面図である。
（ｄ）は本発明の袋状のパッケージに糸に手持ち用の部材を取り付けたものを袋状のパッケージ縁部分の孔に取り付けた平面図である。
（ｅ）は本発明のミルクなど小分けにして入れる円形型の蓋付き容器の斜視図である。
【図５】（ａ）は本発明の図４（ｄ）の袋状パッケージをフライパン内の熱湯で熱する時点での斜視図である。
（ｂ）は本発明の図４（ｄ）と同様にチューブに糸に手持ち用部材を取り付けたものを茶碗内で熱する時点での斜視図である。
（ｃ）は本発明のチューブ、袋状のパッケージ等を熱湯で熱する時に使用するツマミ付き用具の斜視図である。
（ｄ）は本発明のチューブ、袋状のパッケージ等を熱湯で熱する時に先端部分の輪状内にチューブ等を嵌め込み紅茶バッグと同様に使用する事が出来る用具の平面図である。
（ｅ）は本発明の紅茶バッグ式の図４（ｄ）、図５（ａ）（ｂ）（ｄ）の糸部分に差し込んで取り付ける金属製の錘の平面図である。
【図６】（ａ）は下顎用義歯が歯茎に密着する要所の各部分へチューブに入ったクリーム状義歯安定剤の摘出時の斜視図である。
（ｂ）は図（ａ）の平面図である。
（ｃ）は本発明の半液体状義歯安定剤を袋状のパッケージより下顎用義歯が歯茎に密着する要所の各部分へ流し置く時点での斜視図である。
（ｄ）は本発明の半液体状義歯安定剤をチューブより下顎用義歯が歯茎に密着する要所の各部分へ流し置く時点での平面図である。
【符号の説明】
１．上顎用義歯
２．袋状のパッケージ
３．袋状のパッケージ口切り裂き部分
４．ミルクなどの小分け用蓋付き容器
５．クリーム状粘着タイプ義歯安定剤
６．袋状のパッケージの縁に設けた孔
７．糸
８．紙製の手持ち用部材
９．ヘラ
１０．ヘラの先端部分
１１．チューブ式の容器
１２．チューブの口部分
１３．チューブの口に封として使用する油紙
１４．弾力性の素材による輪状部材
１５．熱に強い合成樹脂の紐状素材
１６．熱湯内取り扱い用具
１７．金属製錘
１８．錘の隙間部分
１Ａ．下顎用義歯
１ａ．上顎用義歯床の前歯より左側部分
１ｂ．上顎用義歯床の前歯より右側部分
１ｃ．上顎用義歯床の前歯の上部部分
１ｄ．上顎用義歯床の中央部分
２ａ．下顎用義歯の前歯より右側の歯茎に密着する要所部分
２ｂ．下顎用義歯の前歯より左側の歯茎に密着する要所部分
２ｃ．下顎用義歯の前歯の下部の歯茎に密着する要所部分
３ａ．３ｂ．袋状のパッケージの両脇部分
４ａ．小分け用容器の蓋
５ａ．半液体状固定タイプ義歯安定剤
Ａ．フライパン
Ｂ．ガス台
Ｃ．やかん
Ｄ．茶碗
Ｅ．ツマミ用具
Ｆ．クリーム状義歯安定剤入りチューブ
Ｇ．歯茎
【図１】
2004321727.tif 000003
【図２】
2004321727.tif 000004
【図３】
2004321727.tif 000005
【図４】
2004321727.tif 000006
【図５】
2004321727.tif 000007
【図６】
2004321727.tif 000008
【手続補正書】
【提出日】平成15年10月2日(2003.10.2)
【手続補正１】
【補正対象書類名】明細書
【補正対象項目名】特許請求の範囲
【補正方法】変更
【補正の内容】
【特許請求の範囲】
【請求項１】
クリーム状粘着タイプ義歯安定剤（５）の特性を生かし、熱湯内、叉はレンジ内で熱して半液体状固定タイプ義歯安定剤（５ａ）にしたものを義歯（１）、（１Ａ）が歯茎（Ｇ）に密着する要所の各部分（１ａ）（１ｂ）（１ｃ）（１ｄ）、叉は（２ａ）（２ｂ）（２ｃ）へ置き、その義歯（１）、（１Ａ）を歯茎（Ｇ）に取り付けてから一旦取り外し、歯茎（Ｇ）の表面、叉は義歯（１）、（１Ａ）の要所の各部分（１ａ）（１ｂ）（１ｃ）（１ｄ），（２ａ）（２ｂ）（２ｃ）に取り付いた半液体状義歯安定剤（５ａ）に唾液、又は水分を含ませてから再度義歯（１）、（１Ａ）を歯茎（Ｇ）に取り付け固定するこうした義歯安定剤（５）による義歯（１）、（１Ａ）を歯茎（Ｇ）に固定するために、一回毎に使用する目安の分量に小分けにした義歯安定剤。
【請求項２】
請求項１  に記載の如く、義歯安定剤（５）を熱して半液体状固定タイプ義歯安定剤（５ａ）にしたものを義歯（１）、（１Ａ）が歯茎（Ｇ）に密着する要所の各部分（１ａ）（１ｂ）（１ｃ）（１ｄ）、叉は（２ａ）（２ｂ）（２ｃ）へ置き、その義歯（１）、（１Ａ）を歯茎（Ｇ）に取り付けてから一旦取り外し、歯茎（Ｇ）の表面、叉は義歯（１）、（１Ａ）の要所の各部分（１ａ）（１ｂ）（１ｃ）（１ｄ）、（２ａ）（２ｂ）（２ｃ）に取り付いた半液体状義歯安定剤（５ａ）に唾液、叉は水分を含ませる時、同時に義歯（１）、（１Ａ）の要所の部分（１ａ）（１ｂ）、（２ａ）（２ｂ）に義歯安定剤（５）を取り付けてから、義歯（１）、（１Ａ）を歯茎（Ｇ）に取り付け固定するこうした義歯安定剤（５）による義歯（１）、（１Ａ）を歯茎（Ｇ）に固定するために、一回毎に使用する目安の分量に小分けにした義歯安定剤。
【請求項３】
クリーム状粘着タイプ義歯安定剤（５）を熱し半液体状固定タイプ義歯安定剤（５ａ）にして、請求項１．２．に記載の如く義歯（１）、（１Ａ）を歯茎（Ｇ）に固定するために一回毎に使用する目安の分量の義歯安定剤（５）を熱湯内、レンジ内で熱する事が出来る様に、熱、水に強く、熱を伝え易い紙類、合成樹脂、叉は金属製のもの、並びにこれらの素材の組み合せで作られた、小分け用のチューブ式容器（１１）、叉は一回に使用する目安の分量が入る袋状のパッケージ（２）それぞれの中に義歯安定剤（５）を入れ密封したもので、携帯用としてもこれらの容器を一つ一つ箱に納めたもの、叉はシート状のもので包んだ義歯安定剤。
【請求項４】
請求項３．に記載の如く、クリーム状粘着タイプ義歯安定剤（５）を小分け用のチューブ式容器（１１）、叉は一回に使用する目安の分量が入る袋状のパッケージ（２）の中に入れ密封したものを、家庭内、叉は携帯し外出時に使用する時、義歯安定剤（５）として、或いはこれらの容器を熱し半液体状固定タイプ義歯安定剤（５ａ）にして義歯（１）、（１Ａ）を歯茎（Ｇ）に固定するために前記容器（１１）及び（２）の中に入れ密封した義歯安定剤。
【請求項５】
義歯（１）、（１Ａ）を歯茎（Ｇ）に固定するために必要なクリーム状粘着タイプ義歯安定剤（５）の分量を、熱、水に強い陶器、叉は紙類、叉は木、その他合成樹脂、金属で作られた小皿、叉は箱形、叉は舟の形の容器に入れ合成樹脂か紙製のシート状のもので包み密封したもの、叉はラップフィルムだけで包み密封したものを、熱湯内、レンジ内で熱して半液体状固定タイプ義歯安定剤（５ａ）にし請求項１．２．に記載の如く義歯（１）、（１Ａ）を歯茎（Ｇ）に固定するため必要な分量をシート状のもので包み密封した義歯安定剤。
【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
クリーム状粘着タイプ義歯安定剤（５）の特性を活かし、その効果を一層アップさせるため、熱湯内，又はレンジ内で熱し、半液体状固定タイプ義歯安定剤（５ａ）にしたものを、義歯（１）、（１Ａ）が歯茎（Ｇ）に密着する要所の各部分（１ａ）、（１ｂ）、（１ｃ）、（１ｄ）、又は（２ａ）、（２ｂ）、（２ｃ）へ置き、義歯（１）、（１Ａ）を歯茎（Ｇ）に取り付けてから一旦取り外し、歯茎（Ｇ）の表面、又は義歯（１）、（１Ａ）の前記要所の各部分に取り付いた義歯安定剤（５ａ）に、唾液、又は水分を含ませ、再度義歯（１）、（１Ａ）を歯茎（Ｇ）に取り付ける事、又は義歯安定剤（５ａ）に唾液、又は水分を含ませる時、同時に義歯（１）、（１Ａ）の前記要所の部分（１ａ）、（１ｂ）、（２ａ）、（２ｂ）に義歯安定剤（５）を取り付けて義歯（１）、（１Ａ）を歯茎（Ｇ）に取り付けるため、、シート状に繋ぎ合わせた複数の各容器に、義歯安定剤（５）を一回毎に使用する目安の分量を入れ密封した義歯安定剤。